(57)【要約】      （修正有）【課題】色再現調整にパソコンを使用せずに標準的な正しい色再現をプリンタ単体で実現する。【解決手段】ＵＳＢメモリーまたはプリンター本体にもたらされたそれぞれが各基準段階を多様にプラスマイナス方法に変換された明るさ調整用、コントラスト調整用、彩度調整用及びカラーバランス調整用の各チャートを有するデジタルファイルを刷り出し、そのプリントアウト上に反射型視覚標準をあてがって各基準段階と近似するチャート列の位置から詳細設定を容易、確実にして、パソコンと連繋しない単独プリンターからもはじめて色再現の正しい標準出力が可能になる。【選択図】図４
2011082939.tif 000002
【特許請求の範囲】
【請求項１】
デジタルプリンターの出力を、ＵＳＢメモリなどの記憶メディアまたはプリンター本体の記憶装置にもたらしたデジタルファイルの、反射濃度０．１（Ｌ＝約９１）、同０．４（Ｌ＝約６９）、同０．７（Ｌ＝約５２）、同１．０（Ｌ＝約３８）、同２．０（Ｌ＝約１６）の無彩色５段階基準を中心にその明るさをプラスマイナス方向に段階的に変換したチャートＡ、該無彩色５段階基準のコントラストをプラスマイナス方向に段階的に変換したチャートＢ、該無彩色５段階の中央部分と等しい明度で中彩度のＲＧＢＣＭＹ色基準を中心にしてその彩度をプラスマイナス方向に段階的に変換したチャートＣ、該無彩色５段階の中央部分と等しい中性無色を中心にしてＹおよびＭの色度をプラスマイナス方向に段階的に変換したチャートＤをもたらしてこれを刷り出したプリントアウト上に各デジタル基準段階データと等しいＬ、ａ、ｂ値を有する＜反射型視覚標準＞をあてがって濃度と色がもっとも近似する位置を見出すことによって、パソコンなしにプリンター出力される画像の明るさ、コントラスト、彩度、カラーバランスを標準的に調整可能にしたことを特徴とするデジタルプリンターの出力調整法。
【発明の詳細な説明】
【技術分野】
【０００１】  インクジェットをはじめとするデジタルプリンターの正常な色再現出力を可能にするプリンターの出力調整法。
【背景技術】
【０００２】  従来のインクジェットをはじめとするデジタルプリンターは、大別してほどほどに適正調整される自動調整機能と手動で調整できる詳細設定機能が備えられている。しかし、いずれにしても正常な印刷出力はきわめて困難な状態にある。
【背景技術】
【０００３】  その理由は、たとえば前者では画像全体の平均色調と平均明度等をもとに調整されるために、画面の明暗や色の配分によって、黒が多いと明るく、白が多いと暗く自動調整されて正しい明暗や色が印刷できず、一方、明るさ、コントラスト、彩度、シアン、マゼンタ、イエロー等の詳細調整機能（以下、詳細設定）を調整すれば可能であるといえども、どのように調整すればよいのかが、明確に指示されていない。またその方法がないために、結局は正しい色再現がきわめて困難な状態にある。
【先行技術文献】
同一出願人による関連特許には第３８５５１７６号（画像の色再現法）、特願２００８−５８６６７（画像の色調整法）がある。
【発明が解決しようとする課題】
いずれにしても従来は、画像を修正する必要があったり、いずれもプリンター以外にパソコンが不可欠であり、パソコンなしに正しいプリンター出力ができないという問題点があった。
そして今述べたように、現状では、プリンターはこうすれば正しい色再現が可能になるという原理原則が欠けており、そのためにたとえ正常な標準画像であっても容易には正しい印刷ができないという問題点があり、いずれにしても画像の正しい印刷結果がだせず、画像の再現性と安定性に欠けるという大きな構造上の問題があった。
【課題を解決する為の手段】
【０００４】  そこで本発明では、  デジタルプリンターの出力を、ＵＳＢメモリなどの記憶メディアまたはプリンター本体の記憶装置にもたらしたデジタルファイルの、反射濃度０．１（Ｌ＝約９１）、同０．４（Ｌ＝約６９）、同０．７（Ｌ＝約５２）、同１．０（Ｌ＝約３８）、同２．０（Ｌ＝約１６）の無彩色５段階基準を中心にその明るさをプラスマイナス方向に段階的に変換したチャートＡ、該無彩色５段階基準のコントラストをプラスマイナス方向に段階的に変換したチャートＢ、該無彩色５段階の中央部分と等しい明度で中彩度のＲＧＢＣＭＹ色基準を中心にしてその彩度をプラスマイナス方向に段階的に変換したチャートＣ、該無彩色５段階の中央部分と等しい中性無色を中心にしてＹおよびＭの色度をプラスマイナス方向に段階的に変換したチャートＤをもたらしてこれを刷り出したプリントアウト上に各デジタル基準段階データと等しいＬ、ａ、ｂ値を有する＜反射型視覚標準＞をあてがって濃度と色がもっとも近似する位置を見出すことによって、パソコンなしにプリンター出力される画像の明るさ、コントラスト、彩度、カラーバランスを標準的に調整可能にしている。
【０００５】  すなわち、印刷結果はいうまでもなく印刷するプリンターまた用紙によって濃度および色が異なるために、用紙ごとの調整が必要になる。そこで、本発明では、ＵＳＢ装置またはプリンター本体に＜調整用デジタル変換チャート＞のファイルをもたせてプリンター本体から各ファイルを出力可能とするとともに、各基準段階デジタルデータがたとえばＬ５２データは反射濃度０．７近似といったように標準的に正しく印刷された＜視覚標準＞を用いて該刷り出し印刷部にあてがって該視覚標準と近似等色する位置から調整値を見出し、プリンターのボタン操作で明るさ、コントラスト、彩度、及びカラーバランスの調整を可能にすることによって上記問題をパソコンなしに解決可能にしている。
【実施例】
【０００６】  図１は、ＵＳＢ装置またはプリンター本体の記憶装置に内蔵される＜デジタル基準段階データ＞のファイルにあるデジタル画像の状態を示す。
１は、明るさ調整用とコントラスト調整用の画像形態であり、各無彩色５段階基準が、明るさ調整用チャートＡでは左右にその明るさがプラスマイナス方向に多様に変換した段階が配列され、コントラスト調整用チャートＢは左右にそのコントラストがプラスマイナス方向に多様に変換した段階が配列され、いずれの場合も各段階にプラスマイナスにデジタル変換された値（±数値）が付されている。
２は、Ｌ５２（濃度０．７）の中間彩度のＲ、Ｇ、Ｂ、Ｃ、Ｍ、Ｙ６有彩色基準段階を中心にその彩度をプラスマイナス方向に上下に多段階に変換された段階が配列された彩度調整用チャートＣを示す。
３は、Ｌ５２（濃度０．７）の中性無色の灰色を中心にその色度がプラスマイナスＹＭ方向に同一明度で変換されたカラーバランス調整用チャートＤである。
したがって以上は、いずれも左右または上下に変換されたデジタル画像は中央にある基準段階がプリンターの詳細設定値と等しい値でプラマイ方向にデータが変換されているので、プリンターが標準的に出力調整されればその刷り出しはいずれも中央位置で正しい色再現を示すが、そうでないときは詳細設定値をプラマイしたときに基準段階が正常に印刷されるために左右または上下に位置がずれるという関係にある。【０００７】  図２は各デジタル基準段階データと等しいＬ、ａ、ｂ値を有する＜反射型視覚標準＞の一実施例であり、４はカード状の本体、５は反射濃度０．１（Ｌ＝約９１）、同０．４（Ｌ＝約６９）、同０．７（Ｌ＝約５２）、同１．０（Ｌ＝約３８）、同２．０（Ｌ＝約１６）の各無彩色基準段階、６は中彩度のＲＧＢＣＭＹ色の彩度基準段階を有する判定用ガイドを示す。
【作用】
【０００８】  （操作手順）
プリンター本体の操作盤からＵＳＢまたはプリンターの記憶装置から該デジタル基準段階データの各ファイルを呼び出す。
【０００９】  １）まず、明るさ調整用チャートＡを呼び出して刷り出し、図３のように該刷り出し部７の上に＜反射型視覚標準＞４の無彩色５段階基準をあてがって５段階がもっとも近似する列を見出して数値を読み取ればそれがそれが詳細設定における明るさ調整値となる。図３の場合は明るさ調整値は＋３をボタンでセットすることにより、画像の明るさが標準近似値に調整されることになる。
【００１０】  ２）図１−１同様の図示せざるコントラスト調整用チャートＢを刷り出し、図３同様に該刷り出し部７の上に＜反射型視覚標準＞４の無彩色５段階基準をあてがって各５段階がもっとも近似する列を見出して数値を読み取ればそれが詳細設定におけるコントラスト調整値となる。図３の場合は明るさ調整値同様、＋３でセットすることにより、コントラストが正常値に調整されることになる。
【００１１】  ３）図４のように、彩度調整用チャートＣの刷り出しの上に＜反射型視覚標準＞４の彩度基準段階部をあてがい、両者の彩度段階が最も近似する部分を捜し、左側の数値を読み取ればそれが同じく彩度調整値であり、もしその位置が図４であれば無調整で正常な彩度が得られることになる。
【００１２】  ４）以上の操作の過程で、もし刷り出しの無彩色段階の中央部が＜反射型視覚標準＞４の無彩色段階と等しく無色であれば、画像のＣＭＹカラーバランスは正常で調整不要ということになるが、通常そうであるように、無彩色に色の偏りが生じている場合は、図５のようにカラーバランス調整用チャートＤを刷り出したその上に＜反射型視覚標準＞４の無彩色段階をあてがってそのチャートの中でもっとも視覚標準段階にもっとも近い無色部分を見出して調整すべきＹとＭのプラスマイナス調整値を得る。
もし図５の例のように、無色部分が上から２段目、左から４つ目にある場合は、ｙ調整値は＋３、Ｍは−３であり、この調整によって出力されるＣＭＹカラーバランスが正常に調整される。
【発明の効果】
【００１３】  以上の操作によって、プリンターの操作盤にて詳細設定をおこなえばそのプリンターでの用紙ごとの標準設定が可能になる。
ファイルの画像はＪＰＧによりパソコンの機種、ＯＳにかかわらずプリント調整が可能になるが、統一されるまでは画像ファイルのＲＧＢの種類に応じｓＲＧＢ、Ａｄｏｂｅ  ＲＧＢ，ＡｐｐｌｅＲＧＢ別のファイル選択を可能にすることにより、全画像ファイルの標準印刷がパソコンなしに可能になるので、これまではできなかったデジタルカメラ、ＵＳＢやフラッシュメモリーなどから直接的に出力する場合にも正しいプリンター調整により画像の標準出力によりはじめて容易確実な正しい画像印刷が可能になり、プリンター出力は根本改善される。
【００１４】  これまでの自動プリントでは、適当な調整が加わるために撮影カメラの高度な調整機能も、また使用カラーフィルムの性能もプリントに正しくだす術がなく、段階露出を与えても同じ濃度になるなど、高精度カメラを使用しながら、カメラ操作もほとんど意味をなさないという矛盾が解決されるということでもある。
また、プリンタには詳細設定機能が備えられているとはいえ、それを本発明のようなノウハウがないために、よほどの試行錯誤をしないかぎり、正しい色再現が困難であったが、本発明では、以上のべた問題点を根本的に改善して標準出力を可能にして、高度なユーザーのニーズにも応じた画像制作が可能になり、同時に失敗を防止し無駄な用紙インクの浪費を抑えることができる。
【産業上の利用可能性】
【００１５】  現状では多くの機種がプリンター本体に液晶表示部にて手動による明るさ、コントラスト、彩度、ＣＭＹ補正のための詳細設定が可能になっているために、多くの機種において本発明になる調整用ファイルを有するＵＳＢ等と視覚標準を供給するだけでこれまでほとんど困難であったといえる標準設定がパソコンなしにはじめて可能になるという大きな実現可能性をもっている。要するに産業上の利用可能性はきわめて大であり、トーンとあざやかさの色品質の向上に役立て得るという文化的な貢献とともに資源浪費を防止しＣＯ２削減、環境汚染防止、温暖化対策にも大きく貢献可能となる。
【図面の簡単な説明】
【００１６】
【図１】出力調整用各種デジタルチャートの一実施例を示す正面図である。
【図２】判定用の反射型視覚標準ガイドの一実施例を示す正面図である
【図３】刷り出した明るさ調整用チャートＡ及びコントラスト調整用チャートＢの調整値の読み取り説明図
【図４】刷り出した彩度調整用チャートＣの調整値の読み取り説明図
【図５】刷り出したカラーバランス調整用チャートＤの調整値の読み取り説明図
【符号の説明】１  明るさ調整用チャートＡおよびコントラスト調整用チャートＢの基本形態
２  彩度調整用チャートＣ
３  ＣＭＹカラーバランス調整チャートＤ
４  反射型視覚標準ガイド
５  反射型無彩色基準段階
６  反射型彩度基準段階
７  刷り出した明るさ（またはコントラスト）チャート部
８  刷り出した彩度基準段階チャートＣ部
９  刷り出したカラーバランス調整用チャートＤ部
１０  刷り出したカラーバランス調整用チャートＤ部と近似する無彩色部
１１  反射型視覚標準ガイドの無色灰色位置
【図１】
2011082939.tif 000003
【図２】
2011082939.tif 000004
【図３】
2011082939.tif 000005
【図４】
2011082939.tif 000006
【手続補正書】
【提出日】平成21年12月7日(2009.12.7)
【手続補正１】
【補正対象書類名】図面
【補正対象項目名】全図
【補正方法】変更
【補正の内容】
【図１】
2011082939.tif 000007
【図２】
2011082939.tif 000008
【図３】
2011082939.tif 000009
【図４】
2011082939.tif 000010
【図５】
2011082939.tif 000011